(57)【特許請求の範囲】
【請求項１】
いずれの成分も未処理の原油または石油由来の処理済み油であってよい２種以上の石油系油を、製油所プロセス装置のファウリングおよびコーキングを最小限に抑えるようにブレンドする方法であって、
（ａ）各油の不溶解価Ｉを決定すること、
（ｂ）各油の溶解ブレンド価Ｓを決定すること、および
（ｃ）混合物の溶解ブレンド価が常に混合物中のどの油の不溶解価の１．４倍よりも高くなるように該石油系油を組み合わせること、
を含む方法。
【請求項２】
前記不溶解価および前記溶解ブレンド価が、アスファルテンを含有する各油に対するトルエン等価試験およびヘプタン希釈試験から決定される請求項１に記載の方法。
【請求項３】
前記不溶解価がゼロであり、前記溶解ブレンド価が、アスファルテンを含有しない各油に対する溶剤油等価試験または非溶剤油希釈試験から決定される請求項１に記載の方法。
【請求項４】
前記混合物の前記溶解ブレンド価が、
【数１】
0004794045.tif 000012
（式中、Ｖ１、Ｖ２、Ｖ３、Ｖｎは油１、油２、油３、油ｎの体積であり、Ｓ１、Ｓ２、Ｓ３、Ｓｎは油１、油２、油３、油ｎの溶解ブレンド価である。）
によって決定される請求項１に記載の方法。
【請求項５】
後続の処理におけるファウリングおよびコーキングを最小限に抑えるべく、他の場合には非相溶性に近い油または油の混合物とのブレンド用の石油系油を選択する方法であって、該ブレンド用の油が混合物中のどの油の不溶解価の１．４倍よりも高い溶解ブレンド価および混合物中の少なくとも１種の他の油よりも低い不溶解価を有するように該ブレンド用の油を選択することを含む方法。
【請求項６】
選択された前記ブレンド用の油が検討対象の前記油のうちで最大の溶解ブレンド価、前記混合物中の少なくとも１種の他の油よりも低い不溶解価を有する請求項５に記載の方法。
【請求項７】
前記溶解ブレンド価が、
【数２】
0004794045.tif 000013
（式中、Ｖ１、Ｖ２、Ｖ３、Ｖｎは油１、油２、油３、油ｎの体積であり、Ｓ１、Ｓ２、Ｓ３、Ｓｎは油１、油２、油３、油ｎの溶解ブレンド価である。）
によって決定される請求項５に記載の方法。
【請求項８】
前記不溶解価および前記溶解ブレンド価が、アスファルテンを含有する各油に対するトルエン等価試験およびヘプタン希釈試験から決定される請求項５に記載の方法。
【請求項９】
前記不溶解価がゼロであり、前記溶解ブレンド価が、アスファルテンを含有しない各油に対する溶剤油等価試験または非溶剤油希釈試験から決定される請求項５に記載の方法。
【発明の詳細な説明】
【０００１】
発明の背景
本発明は、非相溶性に近いブレンドを回避することによって製油所装置、特に熱交換器のファウリングを低減するように２種以上の石油系油をブレンドする方法に関する。
【０００２】
石油原油および石油原油から誘導されるアスファルテン含有油が、こうした油と接触した製油所プロセス装置上にファウラントおよびコークスと呼ばれる有機固体を析出させる傾向を有することは周知の通りである。このようなプロセス装置としては、限定されるものではないが、パイプ、タンク、熱交換器、炉管、精留塔、および反応器が挙げられる。たとえ少量のファウラントまたはコークスであっても大きなエネルギー損失を引き起こす。なぜなら、金属壁単独の場合と比べてファウラントおよびコークスを介した熱伝達はかなり劣っているからである。中程度の量のファウラントおよびコークスがあると、大きな圧力低下が起こり、プロセス装置の運転は妨害され、その効率は低下する。最後に、大量のファウラントまたはコークスがあると、プロセス装置は閉塞を起こし、流動が妨害されたり、運転が不能となり、装置を停止してファウラントやコークスを除去しなければならなくなる。
【０００３】
石油から誘導されるアスファルテン含有油は、３５０℃を超える高温で反応させたものである場合、冷却することによってまたはよりパラフィン系に近い油とブレンドすることによって、プロセス装置を急速に汚損する傾向を示すことも周知の通りである。このような処理済み油としては、限定されるものではないが、石油原油の常圧残油または減圧残油を熱処理または接触水素化熱処理により変換させた後の最高沸点留分、および流動接触分解の液体生成物の最高沸点留分（接触クラッカボトムまたは接触スラリー油と呼ばれる）が挙げられる。こうした急速なファウリングは、冷却時またはよりパラフィン系に近い油とブレンドした時に不溶性となるアスファルテンによって引き起こされる。本明細書中において、アスファルテンとは、油を体積４０のトルエンとブレンドしたときには可溶性であるが油を体積４０のｎ−ヘプタンとブレンドしたときには不溶性である油の画分として定義づけられる。アスファルテンが３５０℃を超える高温度で不溶性になる場合、トルエンに不溶性のコークスが急速に形成される（Ｉ．Ａ．Ｗｉｅｈｅ，Ｉｎｄｕｓｔｒｉａｌ  ＆  Ｅｎｇｉｎｅｅｒｉｎｇ  Ｃｈｅｍｉｓｔｒｙ  Ｒｅｓｅａｒｃｈ，Ｖｏｌ．３２，２４４７−２４５４を参照されたい）。ＷｉｅｈｅおよびＫｅｎｎｅｄｙの以前の特許出願には、未処理の石油原油２種以上を単にブレンドしただけでは、プロセス装置を急速に汚損する恐れのある不溶性アスファルテンの析出を引き起こす可能性があること、またはこのような原油ブレンドを３５０℃よりも高い温度まで急速に加熱した場合、不溶性アスファルテンがパイプスチル炉管でコークス化する可能性があることが開示された。油をブレンドすることによりアスファルテンの析出が起こる場合、ブレンド時にアスファルテンを析出しない相溶性のある油に対して、その油は非相溶性である言われる。従って、油の非相溶性ブレンドは、相溶性油よりもファウリングおよびコーキングを起こす傾向がかなり強い。油の非相溶性ブレンドを一度入手してしまうと、急速にファウリングやコーキングが起こって、通常は短時間のうちに製油所の運転を停止する必要がでてくる。これにより大きな経済的損害を被ることになる。なぜなら、プロセス装置の洗浄中は、大量の油を処理することができないからである。これまで、ほとんどの製油所では、よりブレンド適性の高いプロセス油を製造するために、試行錯誤により、特定の原油を回避したり、特定の処理済み油をブレンドの対象からはずしたり、プロセスの過酷度を軽減したりすることを学んできた。
【０００４】
製油所における油のブレンディングは、特に、原油に対してはきわめてあたりまえのことであり、油をブレンドしないでも経済的に採算のとれる製油所はたとえあったとしてもごくわずかであると思われる。これは、最も経済的な領域の製品を製造できるようにすること、および限られた数の貯蔵タンクを用いてほぼ同時に到着した複数のフィードストックを一つの製油所で取り扱えるようにすることの両方を目的として行われる。
【０００５】
この度、相溶性ではあるが非相溶性に近い油のブレンドが、金属表面、特に、加熱された金属表面をブレンド中の個々の油よりも高速度で汚損する可能性があることを見いだした。ファウリングの速度は非相溶性ブレンドの場合が最大であるが、この速度は、非相溶性に近いブレンドの場合には速く、ブレンドの比率を非相溶性になるそれらの比率から更に遠ざけるように選択すると減少する。また、非相溶性を回避するブレンド中の油の比率を予測することができた先の出願に教示されているものと同じ油相溶性モデルを使用しても、異なる判定基準を用いれば、非相溶性に近い状態を回避するブレンド中の油の比率を予測することができることを見いだした。
【０００６】
発明の概要
本発明には、どの成分も未処理の原油または石油由来の処理済み油であってよい２種以上の石油系油を、製油所プロセス装置のファウリングおよびコーキングを最小限に抑えるようにブレンドする方法が含まれる。このブレンド方法には、各油の不溶解価Ｉを決定するステップ、各油の溶解ブレンド価Ｓを決定するステップ、および混合物の溶解ブレンド価を混合物中のどの油の不溶解価の１．４倍よりも高く保持するような比率で上記の石油系油を組み合わせるステップが含まれる。本発明にはまた、ファウリングを最小限に抑えるように石油系油を選択することが含まれる。
【０００７】
発明の詳細な説明
本発明において、非極性アスファルテン溶剤と非極性アスファルテン非溶剤とを様々な比率で含有する試験液を用いて各石油系油を２回以上試験することにより、油の所定のブレンドが非相溶性に近い状態であるかを予測できることを見出した。これは、石油系油試験を用いてブレンド中の各石油系油の不溶解価および溶解ブレンド価を決定することに基づくものである。本明細書中において、非極性とは、その液体の分子構造中に炭素、水素、および硫黄の原子だけが含まれることを意味する。もう一度繰り返すことになるが、油試験により決定されるブレンド中の各油の不溶解価および溶解ブレンド価から同様に予測されるブレンド中の油の特定の比率を回避するかぎり、ファウリングまたはコーキングをほとんど起こすことなく非相溶性に近い油を処理できることが分かった。
【０００８】
石油系油の不溶解価および溶解ブレンド価を決定する最初のステップは、石油系油がｎ−ヘプタン不溶性アスファルテンを含有しているかを調べることである。これは、体積１の油を体積５のｎ−ヘプタンとブレンドしてアスファルテンが不溶であるかを調べることによって行われる。任意の便利な方法を利用することができる。可能な方法の一つとしては、５０〜６００倍の倍率の光学顕微鏡を用い、試験液混合物と油とのブレンド１滴をガラススライドとガラスカバースリップとの間に入れて透過光により観察することが挙げられる。アスファルテンが溶解状態にあれば、観測される暗色粒子はあってもごくわずかであろう。アスファルテンが不溶性であれば、暗色の粒子（通常は褐色で、サイズは通常０．５〜１０ミクロンである）が多数観測されるであろう。もう一つの可能な方法としては、試験液混合物と油とのブレンド１滴を１枚の濾紙の上に滴下してから乾燥させることが挙げられる。アスファルテンが不溶性であれば、油で形成された黄褐色のスポットの中心付近に暗色の輪または円が観測されるであろう。アスファルテンが可溶性であれば、油で形成されたスポットの色は比較的均一な色になるであろう。石油系油がｎ−ヘプタン不溶性アスファルテンを含有していることが判明した場合、次の三つのパラグラフ中に記載されている手順に従って不溶解価および溶解ブレンド価を決定する。石油系油がｎ−ヘプタン不溶性アスファルテンを含有していないことが判明した場合、不溶解価にゼロの値を与え、「アスファルテンを含有しない石油系油」という標題の節に記載されている手順により溶解ブレンド価を決定する。
【０００９】
アスファルテンを含有する石油系油
アスファルテンを含有する石油系油の不溶解価および溶解ブレンド価を決定するためには、油と試験液混合物との少なくとも二つの体積比において試験液混合物に対する油の溶解性を試験する必要がある。試験液混合物は、様々な比率で２種の液体を混合することによって調製される。一方の液体は非極性で、油中のアスファルテンの溶剤であるが、もう一方の液体は、非極性で、油中のアスファルテンの非溶剤である。アスファルテンは、ｎ−ヘプタンには不溶性でトルエンには可溶性であるものとして定義づけされているので、試験液用非溶剤として同じｎ−ヘプタンを選択し、試験液用溶剤としてトルエンを選択するのが最も都合がよい。多くの他の試験用非溶剤および試験用溶剤を選択することも可能であるが、それらを使用した場合には、本明細書に記載のｎ−ヘプタンおよびトルエンを使用した場合ほど、好ましい油ブレンド方法をうまく規定することができない。
【００１０】
最初の試験では、便宜的に油と試験液混合物との体積比を選択する。例えば、油１ｍｌに対して試験液混合物５ｍｌである。次に、種々の既知の比率でｎ−ヘプタンおよびトルエンをブレンドすることにより、試験液混合物の様々な混合物を調製する。これらのそれぞれを、油と試験液混合物との所定の体積比で油と混合する。その後、これらのそれぞれについてアスファルテンが可溶性であるか不溶性であるかを決定する。任意の便利な方法を利用することができる。可能な方法の一つとしては、５０〜６００倍の倍率の光学顕微鏡を用い、試験液混合物と油とのブレンド１滴をガラススライドとガラスカバースリップとの間に入れて透過光により観察することが挙げられる。アスファルテンが溶解状態にあれば、観測される暗色粒子はあってもごくわずかであろう。アスファルテンが不溶性であれば、暗色の粒子（通常は褐色で、サイズは通常０．５〜１０ミクロンである）が多数観測されるであろう。もう一つの可能な方法としては、試験液混合物と油とのブレンド１滴を１枚の濾紙の上に滴下してから乾燥させることが挙げられる。アスファルテンが不溶性であれば、油で形成された黄褐色のスポットの中心付近に暗色の輪または円が観測されるであろう。アスファルテンが可溶性であれば、油で形成されたスポットの色は比較的均一な色になるであろう。油をすべての試験液混合物とブレンドしたときの結果は、試験液混合物中のトルエンのパーセントが増大する方向に並べる。目的の値は、アスファルテンを溶解するトルエンの最小のパーセントとアスファルテンを析出するトルエンの最大のパーセントとの間にくるであろう。これらの限界値の間のトルエンパーセントで更に多くの試験液混合物を調製し、油と試験液混合物との所定の体積比で油とブレンドし、そしてアスファルテンが可溶性であるか不溶性であるかを決定する。目的の値は、アスファルテンを溶解するトルエンの最小のパーセントとアスファルテンを析出するトルエンの最大のパーセントとの間にくるであろう。このプロセスは、目的の値が所望の精度の範囲内で決定されるまで続けられる。最終的には、アスファルテンを溶解するトルエンの最小のパーセントとアスファルテンを析出するトルエンの最大のパーセントとの平均値を目的の値とする。これは、油と試験液混合物との所定の体積比Ｒ１における第一のデータ点Ｔ１である。
【００１１】
第二のデータ点は、単に油と試験液混合物との異なる体積比を選択することにより第一のデータ点のときと同じプロセスで決定することができる。このほか、第一のデータ点を決定したときよりも小さいトルエンパーセントを選択し、アスファルテンが丁度析出を開始するまで既知量の油に試験液混合物を添加することもできる。この時点での試験液混合物中の所定のトルエンパーセントＴ２における油と試験液混合物との体積比Ｒ２が第二のデータ点となる。第一のデータ点と第二のデータ点との差が大きくなるほど、最終的に得られる数値の精度は高くなるので、第二のデータ点を決定するための好ましい試験液混合物は、トルエン０％すなわちｎ−ヘプタン１００％である。
【００１２】
不溶解価Ｉは、
【数３】
0004794045.tif 000002
で与えられ、溶解ブレンド価Ｓは、
【数４】
0004794045.tif 000003
で与えられる。
【００１３】
アスファルテンを含有しない石油系油
石油系油がアスファルテンを含有しない場合、不溶解価はゼロである。しかしながら、アスファルテンを含有しない石油系油に対する溶解ブレンド価は、不溶解価および溶解ブレンド価が既に決定されているアスファルテン含有試験油を用いて先に記載の手順に従って決定しなければならない。最初に、体積１の試験油を体積５の石油系油とブレンドする。不溶性アスファルテンは、上述したように顕微鏡法またはスポット法により検出可能である。油が非常に粘稠である場合（１００センチポアズを超える場合）、ブレンド時に１００℃まで加熱し、次いで室温まで冷却させてから不溶性アスファルテンを調べてもよい。また、５０〜７０℃のオーブン中で粘稠油のブレンドに対するスポット試験を行ってもよい。不溶性のアスファルテンが検出された場合、石油系油は試験油の非溶剤であり、次のパラグラフに記載の手順に従わなければならない。しかしながら、不溶性のアスファルテンが検出されなかった場合、石油系油は試験油の溶剤であり、次のパラグラフの後のパラグラフに記載の手順に従わなければならない。
【００１４】
体積１の試験油を体積５の石油系油とブレンドしたときに不溶性アスファルテンが検出された場合、不溶性アスファルテンが検出されるまで５ｍｌの試験油に石油系油を少量ずつ添加する。非溶剤油の体積ＶＮＳＯは、不溶性アスファルテンが検出された直前の添加時までに少量ずつ添加された石油系油の合計体積と不溶性アスファルテンが最初に検出された時の合計体積との平均に等しい。体積の増分は、所望の精度を得るのに必要な量まで減少させてもよい。ＳＴＯが試験油の溶解ブレンド価でありＩＴＯが試験油の不溶解価であるとすると、非溶剤油の溶解ブレンド価Ｓは、次式で与えられる。
【数５】
0004794045.tif 000004
【００１５】
体積１の試験油を体積５の石油系油とブレンドしたときに不溶性アスファルテンが検出されなかった場合、石油系油は試験油に対する溶剤油である。油と試験液混合物との体積比ＲＴＯとして、試験油の不溶解価および溶解ブレンド価を測定するのに使用したものと同じ値を選択する。しかしながら、この場合には、トルエンおよびｎ−ヘプタンの代わりに様々な既知の比率の石油系油およびｎ−ヘプタンをブレンドすることによって、試験液の種々の混合物を調製する。油と試験液混合物との体積比がＲＴＯに等しくなるようにして、これらのそれぞれを試験油と混合する。次に、これらのそれぞれについて、先に記載した顕微鏡法またはスポット試験法などによりアスファルテンが可溶性であるか不溶性であるかを決定する。油をすべての試験液混合物とブレンドしたときの結果は、試験液混合物中の石油系油のパーセントが増大する方向に並べる。目的の値は、アスファルテンを溶解する石油系油の最小のパーセントとアスファルテンを析出する石油系油の最大のパーセントとの間にくるであろう。これらの限界値の間の石油系油パーセントで更に多くの試験液混合物を調製し、試験油と試験液混合物との所定の体積比（ＲＴＯ）で試験油とブレンドし、そしてアスファルテンが可溶性であるか不溶性であるかを決定する。目的の値は、アスファルテンを溶解する石油系油の最小のパーセントとアスファルテンを析出する石油系油の最大のパーセントとの間にくるであろう。このプロセスは、目的の値が所望の精度の範囲内で決定されるまで続けられる。最終的には、アスファルテンを溶解する石油系油の最小のパーセントとアスファルテンを析出する石油系油の最大のパーセントとの平均値を目的の値とする。これは、試験油と試験液混合物との所定の体積比ＲＴＯにおけるデータ点ＴＳＯである。ＴＴＯが試験油と試験液混合物との体積比ＲＴＯにおいて様々な比のトルエンおよびｎ−ヘプタンを含む試験液を用いて試験油に対して予め測定されたデータ点であるとすると、石油系油の溶解ブレンド価Ｓは、次式で与えられる。
【数６】
0004794045.tif 000005
【００１６】
石油系油の混合物
各成分の溶解ブレンド価が決定されると、ｎ種の油の混合物の溶解ブレンド価は次式で与えられる。
【数７】
0004794045.tif 000006
（式中、Ｖ１、Ｖ２、Ｖ３、Ｖｎは、油１、油２、油３、油ｎの体積であり、Ｓ１、Ｓ２、Ｓ３、Ｓｎは、油１、油２、油３、油ｎの溶解ブレンド価である。
【００１７】
出願第７６３，６５２号（既に特許査定となっている）には、石油系油の混合物の相溶性に対する判定基準は、油の混合物の溶解ブレンド価が混合物中のどの成分の不溶解価よりも大きいことであると教示された。本出願において、少ないファウリングに対する判定基準は、油の混合物の溶解ブレンド価が混合物中のどの成分の不溶解価の１．３倍よりも大きいこと、好ましくは１．４倍よりも大きいことである。ファウリングの最大速度は、混合物の溶解ブレンド価が混合物中の不溶解価よりも少ないときに得られ、この場合、非相溶性油となる。しかしながら、驚くべきことに、たとえ相溶性の油ブレンドであったとしても、油の混合物の溶解ブレンド価が混合物中の少なくとも１種の成分の不溶解価の１．３倍よりも少ない場合には大きなファウリングを生じる可能性があることを見いだした。油の混合物の溶解ブレンド価が混合物中のどの成分の不溶解価の１．４倍よりも大きい場合に限り、ブレンドの個々の成分のファウリング速度の線形結合に基づいて予測されるようなファウリング速度になる。ブレンド中のすべての成分の溶解ブレンド価のうちの最小値がブレンド中のすべての成分の不溶解価のうちの最大値よりも大きい場合、ブレンドする順序は重要でない。それ以外の場合には、ファウリングの速度を小さくすべく、以前の特許に教示されているブレンド順序で実施する必要がある。
【００１８】
提案されたブレンド中の油がいずれもブレンド中の成分の不溶解ブレンド価の最大値の１．３倍、好ましくは１．４倍よりも大きい溶解ブレンド価を有していない場合、明らかに、ブレンド時にいかなる比率で油を用いても、これらすべての油が存在する限り、少ないファウリングに対する判定基準は満足されないであろう。この場合、最大不溶解価の油をブレンドから除去するか、またはブレンド中の成分の不溶解価の最大値の１．３倍、好ましくは１．４倍よりも大きい溶解ブレンド価を有する油をブレンドに添加するかのいずれかを選択することになる。
【００１９】
実施例
Ｆｏｒｔｉｅｓ原油およびＳｏｕｅｄｉｅ原油ならびにこれらの２種の原油の種々のブレンドのファウリングを、加熱された表面で測定した。最初に、アスファルテンを含有する石油系油に対する手順に従って、各原油の不溶解価および溶解ブレンド価を測定した。アスファルテンを溶解状態に保つのに必要な試験液中のトルエンの最小パーセントＴ１を測定したところ、油１グラムおよびトルエンとｎ−ヘプタンとの混合物を含む試験液５ｍｌにおいて、Ｆｏｒｔｉｅｓでは７．５、Ｓｏｕｅｄｉｅでは３３であった。Ｆｏｒｔｉｅｓの密度は０．７９１ｇ／ｍｌ、Ｓｏｕｅｄｉｅの密度は０．８７４ｇ／ｍｌであるので、Ｒ１はＦｏｒｔｉｅｓでは１／［（．７９１）５］＝．２５２、Ｓｏｕｅｄｉｅでは１／［（．８７４）（５）］＝０．２２９となる。アスファルテンを析出することなく油５ｍｌに添加可能なｎ−ヘプタンの最大量を測定したところ、Ｆｏｒｔｉｅｓでは６．９ｍｌ、Ｓｏｕｅｄｉｅでは３．１ｍｌであった。ここで、Ｒ２がＦｏｒｔｉｅｓでは５／６．９＝０．７２５に等しいとき、Ｓｏｕｅｄｉｅでは５／３．１＝１．６１に等しいとき、Ｔ２はゼロである。従って、次のようになる。
【数８】
0004794045.tif 000007
【００２０】
Ｓｏｕｅｄｉｅ原油の不溶解価はＦｏｒｔｉｅｓ原油の溶解ブレンド価よりも大きいので、これら２つの原油は非相溶性を呈する可能性がある。非相溶性が現れるのは次の時点である。
【数９】
0004794045.tif 000008
【００２１】
従って、ＦｏｒｔｉｅｓとＳｏｕｅｄｉｅとの混合物のうちでＦｏｒｔｉｅｓが６９体積％を超えるものはいずれも、ブレンド時にアスファルテンを析出するであろう。
【００２２】
溶解ブレンド価が不溶解価の１．３倍のときは次のようになる。
【数１０】
0004794045.tif 000009
【００２３】
溶解ブレンド価が不溶解価の１．４倍のときは次のようになる。
【数１１】
0004794045.tif 000010
【００２４】
Ａｌｃｏｒ製の実験室用熱ファウリング試験ユニットを用いて、Ｆｏｒｔｉｅｓ原油およびＳｏｕｅｄｉｅ原油ならびにＦｏｒｔｉｅｓ原油とＳｏｕｅｄｉｅ原油との混合物の相対ファウリング速度を測定した。いずれの場合においても、沸騰を防止すべく７００ｐｓｉｇの窒素圧力下において、７６０°Ｆの一定温度で加熱された炭素鋼ロッドを中心に備えたアニュラスを通るように３ｍｌ／分で油をポンプ送液した。ファウラントがロッドの表面上に堆積するにつれて、ファウラントの断熱作用により、流動する油を加熱する能力が低下し、アニュラスの出口温度が減少した。従って、３時間にわたるアニュラスの出口における流動する油の温度の減少は、油のファウリング速度の尺度である。表中のデータおよび図は、原油とブレンドした時のＦｏｒｔｉｅｓ原油の体積パーセントと共にファウリング速度のこの尺度がどのように変化したかを示している。
【００２５】
【表１】
0004794045.tif 000011
【００２６】
２５％Ｆｏｒｔｉｅｓにおけるファウリング速度は、０％Ｆｏｒｔｉｅｓ（Ｓｏｕｅｄｉｅのみ）における点と１００％Ｆｏｒｔｉｅｓにおける点とを通るように引いた直線から期待されるよりも僅かに大きいに過ぎない。７５％Ｆｏｒｔｉｅｓにおいてブレンドは非相溶性であるので（６９％Ｆｏｒｔｉｅｓのときよりも大きい）、このときのファウリング速度がこの組み合わせで測定される最大値であることは驚くに値しない。驚くべきことは、５０％Ｆｏｒｔｉｅｓにおけるファウリング速度が、たとえこのブレンドが相溶性であっても、ブレンドのいずれの成分のファウリング速度よりも大きいという点である。混合物の溶解ブレンド価が不溶解価の１．３倍よりも大きい状態にＦｏｒｔｉｅｓとＳｏｕｅｄｉｅとのブレンドを制御した場合、ブレンドは常に３８％Ｆｏｒｔｉｅｓ未満になるであろう。こうすれば、非相溶性の端に位置する６９％Ｆｏｒｔｉｅｓ（混合物の溶解ブレンド価が不溶解価と等しい）と比較して、ファウリング速度が大きく減少するであろう。その上、ファウリング速度がＦｏｒｔｉｅｓ原油単独のファウリング速度よりも更に大きくなることは決してないであろう。しかしながら、混合物の溶解ブレンド価が不溶解価の１．４倍よりも大きい状態にＦｏｒｔｉｅｓとＳｏｕｅｄｉｅとのブレンドを制御した場合、ブレンドは常に２７％Ｆｏｒｔｉｅｓ未満になるであろう。この場合には、純粋な成分のファウリングに基づく線形予測に近いファウリング速度になるであろう。従って、油混合物の溶解ブレンド価を不溶解ブレンド価の１．４倍よりも大きくなるように制御すれば、この系のファウリング速度は、混合物の純粋成分のファウリング速度から予測できる値とほとんど同程度に低い値に保たれるはずである。
【図面の簡単な説明】
【図１】  実施例１における油の混合物に対する熱ファウリング試験ユニットを用いた熱ファウリングデータの評価基準を示している。
【図１】
0004794045.tif 000014